(57)【要約】      （修正有）【課題】内部に故人の遺骨等の遺品を収納出来る置物であって、台座に対する装飾部材の向きの設定自由度が高く、装飾部材の安定性が良い置物を提供する。【解決手段】上面１１側に容器収納凹部１０を備えた台座１と、容器収納凹部１０に収納される容器２であり、少なくとも、容器収納凹部１０の内周形状と適合する外周形状を有すると共に、容器収納凹部１０の深さを越える高さに形成された容器２と、容器２に嵌合させて台座１に設置される装飾部材３であり、下面側に容器２に対して、周方向において複数の方向で嵌合するように形成された嵌合凹部３０を有する装飾部材３とを備えた。【選択図】図２
0003183581.tif 000002
【実用新案登録請求の範囲】
【請求項１】
上面側に容器収納凹部を備えた台座と、
前記容器収納凹部に収納される容器であり、少なくとも、前記容器収納凹部の内周形状と適合する外周形状を有すると共に、該容器収納凹部の深さを越える高さに形成された容器と、
前記容器に嵌合させて前記台座に設置される装飾部材であり、下面側に前記容器に対して、周方向において複数の方向で嵌合するように形成された嵌合凹部を有する装飾部材と、を備えた置物。
【請求項２】
前記嵌合凹部の内周形状が前記容器の外周形状に対して適合する形状に形成されている請求項１記載の置物。
【請求項３】
前記容器が円柱形状に形成されている請求項１又は２記載の置物。
【考案の詳細な説明】
【技術分野】
【０００１】
本考案は、故人やペットに関連する物品、遺髪、遺骨、遺灰等の遺品を収納できる機能を有する置物に関する。
【背景技術】
【０００２】
故人やペットに関連する物品、遺髪、遺骨、遺灰等の遺品を収納できる機能を有する置物は、例えば、次の特許文献１がある。
【０００３】
特許文献１に記載の置物は、上面に開口部を有し、内部に遺品を収納する空間に上蓋を有する容器（納骨容器本体）を内蔵する台座と、台座上に載置される装飾部材（彫像部）とからなり、台座の上面の開口部と装飾部材の底蓋部の形状が互いに特定の方向（正面方向）になったとき、開口部と底蓋部が相互に嵌合可能となるよう構成されている。
【０００４】
また、容器の上蓋に突起を設け、この凸起が装飾部材の底蓋部に設けられた凹部に嵌入するよう構成されている。
【先行技術文献】
【特許文献】
【０００５】
【特許文献１】実用新案登録第３１４９５８０号公報
【考案の概要】
【考案が解決しようとする課題】
【０００６】
特許文献１に記載の従来技術によると、装飾部材と台座とがそれぞれ正確に正面を向いたときのみ底蓋部と開口部とが嵌合可能とすることで、装飾部材と台座とを常に正確に組立てることができる。また、このようにすることで、装飾部材と台座との嵌合を確実にし、装飾部材が台座から外れないようにすることができる。更に、容器の上蓋の突起を装飾部材の底蓋部に設けられた凹部に嵌入させることで、容器の位置を安定させることができる。
【０００７】
しかしながら、特許文献１に記載の従来技術では、装飾部材と台座とを夫々正確な正面の一方向に向けたときにのみ、底蓋部と開口部とが嵌合するものであるため、台座に対して装飾部材の方向を自由に変更できないという問題があった。
【０００８】
また、装飾部材と台座とを夫々正確な正面の一方向に向けたときにのみ、底蓋部と開口部とを嵌合させるには、この底蓋部の外形状と開口部の内形状とを同形状とする必要があるため、開口部の内形状と同形状の底蓋部を備えた専用の装飾部材以外は、使用できず、これにより、使用できる装飾部材が限られてしまうという問題もあった。
【０００９】
この特許文献１に記載の従来技術では、底蓋部と開口部との嵌合によって、台座上の装飾部材の安定性を確保し、この装飾部材のずれや転倒の防止を図っているが、台座上の装飾部材の安定性を確実にするには、底蓋部と開口部との嵌合深さをある程度確保する必要がある。そして、台座上の装飾部材の安定性を確実にする嵌合深さを確保するためには、容器を収納する空間のスペースを小さくするか、或いは台座を大型化することで達成できる。
【００１０】
しかしながら、前者の場合、底蓋部と開口部との嵌合深さに比例して空間が狭くなってしまい、容器に収納する遺品の個数が少なくなってしまうという問題があり、後者の場合、台座が無駄に大きくなってしまい、装飾部材とのバランスが取れなくなってしまうという問題があった。
【００１１】
本考案は、このような問題に対処することを課題とするものである。すなわち、台座に対する装飾部材の向き設定の自由度を高くできること、使用できる装飾部材の選択の幅を拡げることができること、容器を収納する空間や台座の大きさを変更せずに、台座に設置される装飾部材の安定性を確保できること、等が本考案の目的である。
【課題を解決するための手段】
【００１２】
前記目的を達成するため、本考案に係る置物は、次の構成を少なくとも具備する。
【００１３】
上面側に容器収納凹部を備えた台座と、前記容器収納凹部に収納される容器であり、少なくとも、前記容器収納凹部の内周形状と適合する外周形状を有すると共に、該容器収納凹部の深さを越える高さに形成された容器と、前記容器に嵌合させて前記台座に設置される装飾部材であり、下面側に前記容器に対して、周方向において複数の方向で嵌合するように形成された嵌合凹部を有する装飾部材と、を備えた置物である。
【００１４】
前記嵌合凹部の内周形状が前記容器の外周形状に対して適合するように形成されている請求項１記載の置物である。
【００１５】
前記容器が円柱形状に形成されている請求項１又は２記載の置物である。
【考案の効果】
【００１６】
このような特徴を有することで本考案は、以下の効果を奏する。すなわち、容器収納凹部に対して、適合すると共に、台座の上面から突出するように嵌合された容器に、この容器に対して、周方向において複数の方向で嵌合する内周形状を有する嵌合凹部を嵌合させることで装飾部材が台座に設置されるものであるので、台座に対する装飾部材の向きの設定の自由度を高くできると共に、使用できる装飾部材の選択の幅を拡げることができ、且つ容器を収納する空間や台座の大きさを変更せずに、台座に設置される装飾部材の安定性を確保できる。
【図面の簡単な説明】
【００１７】
【図１】本考案に係る実施形態の置物の一例を示す斜視図である。
【図２】図１の（２）−（２）線断面図である。
【図３】図２の（３）−（３）線断面図である。
【図４】図２の（４）−（４）線断面図である。
【図５】図２の分解図である。
【考案を実施するための形態】
【００１８】
嵌合凹部の内周形状は、前記容器の外周形状に対して適合する形状であることが好ましい。
【００１９】
容器は、円柱形状であることが好ましい。
【００２０】
以下、本考案に係る実施形態の置物Ａを図１〜図５に基づいて説明する。尚、以下で説明する実施形態は、本考案を限定するものではない。
【００２１】
置物Ａは、台座１と、容器２と、装飾部材３とから構成されており、分解・組立て可能なものである（図５参照）。
【００２２】
台座１は、石材を立方体となるように加工してなるものであり、上面１１側に容器２を嵌合支持する容器収納凹部１０が形成されている。
【００２３】
尚、台座１は、容器２や装飾部材３を安定して支持できる面積、且つ重量のものであればよく、例示した立方体の石材に限るものではない。
【００２４】
容器収納凹部１０は、底部１０Ａが平坦で、且つ内周形状を円形とする円筒状になるように凹設されており、台座１の上面１１の中央部よりもやや後方に配置されている。
【００２５】
容器２は、金属材からなるものであり、遺品を収納する容器本体２０と、容器本体２０の上部開口部２０Ａを開閉する開閉蓋２１とから構成されている。容器本体２０の凹状の内部は、遺品を収納する空間Ｓとして確保され、上部開口部２０Ａを開閉蓋２１で塞ぐことによって、空間Ｓを密閉空間とすることができるようになっている。
【００２６】
開閉蓋２１は、下面側に雄側螺合部４０Ａを備え、この雄側螺合部４０Ａを上部開口部２０Ａの内周面に設けられた雌側螺合部４０Ｂに螺合することで、上部開口部２０Ａを塞ぎ、雌側螺合部４０Ｂに対する雄側螺合部４０Ａの螺合を解除することで、上部開口部２０Ａを開口するようにされている。
【００２７】
尚、開閉蓋２１の開閉構造は、例示した螺合構造に限らず、上部開口部２０Ａを確実に塞ぎ、容器２が落下した衝撃程度では外れないようにできるものであればよい。
【００２８】
この開閉蓋２１の上面には、コインやドライバー等（図示せず）を挿し込める溝部２１Ａが設けられており、この溝部２１Ａに挿し込んだコインやドライバー等で開閉蓋２１を回転させることによって、螺合・螺合解除を行えるようになっている。
【００２９】
この容器２は、容器本体２０と開閉蓋２１との周面を同面とし、外周形状が容器収納凹部１０の内周形状と適合する円形で、且つ底部２０Ｂが平坦な円筒状に形成されており、容器収納凹部１０に対して、がたつきなく嵌合させることができると共に、上下方向に嵌脱自在に収納できるようにされている。
【００３０】
また、容器２は、容器収納凹部１０の深さを越える高さに形成されており、容器収納凹部１０に収納した状態において上面１１から容器２の一部が突出するようになっている。容器２が上面１１から突出した部分は、装飾部材３を嵌合支持する支持凸部２０Ｃとして使用できるようにされている。
【００３１】
尚、容器２は、例示した金属材のものに限らず、容器２が落下した衝撃程度では、破損しない強度を有するものであればよい。
【００３２】
装飾部材３は、金属材からなるものであり、下面３１に内周形状を支持凸部２０Ｃの外周形状と適合する円形とする円筒状の嵌合凹部３０が形成されており、この嵌合凹部３０を支持凸部２０Ｃに嵌合させることによって、台座１に設置することができるようにされている。
【００３３】
また、嵌合凹部３０の内周形状を支持凸部２０Ｃの外周形状と適合するようにしたため、支持凸部２０Ｃを軸として装飾部材３を３６０°回転させることができる（図３参照）。これによって、装飾部材３の向きを周方向に自由に変更することができる。
【００３４】
装飾部材３の形態としては、故人の趣味や好みを現したもの、宗教的なもの、故人や宗教的なものとは全く異なる普通のオブジェとしたもの等、どのようなものでもよい。
【００３５】
以上のような構成の置物Ａによると、台座１に対して容器２をがたつきなく収納することができるので、装飾部材３で抑えるような構成を設けることなく、台座１に設置される容器２の安定性を確保できる。
【００３６】
しかも、容器２の一部を、装飾部材３を支持する支持凸部２０Ｃとして使用することができるので、台座１や容器２に、装飾部材３を支持するための特別な構成を設けることなく、装飾部材３を安定よく台座１に設置できる。
【００３７】
また、支持凸部２０Ｃを軸として装飾部材３を３６０°回転させることができるので、台座１に対する装飾部材３の方向設定の自由度を高くすることができる。
【００３８】
更に、支持凸部２０Ｃに対して装飾部材３が周方向に回転できるように嵌合する嵌合凹部３０を有する装飾部材３であれば、嵌合凹部３０の内周形状が支持凸部２０Ｃの外周形状と適合する嵌合凹部３０を有する装飾部材３以外のものも使用することができるので、使用できる装飾部材３の選択の幅を拡げることができる。
【００３９】
容器２の外周形状、容器収納凹部１０及び嵌合凹部３０の内周形状は、例示した円形に限らず、多角形状としてもよく、このような容器２、容器収納凹部１０、嵌合凹部３０においても、容器２をがたつきなく収納できると共に、収納された容器２による支持凸部２０Ｃによって装飾部材３をがたつきなく設置することができ、且つ支持凸部２０Ｃを軸として、装飾部材３の向きを周方向に変更することができる（図示せず）。
【００４０】
嵌合凹部３０の内周形状は、その内径が支持凸部２０Ｃの外周形状の外径よりも大径であってもよいし、支持凸部２０Ｃの外周形状と適合しないものであってもよく、支持凸部２０Ｃに嵌合できると共に、装飾部材３の向きを周方向に自由に変更することができるものであればよい（図示せず）。
【符号の説明】
【００４１】
Ａ：置物
１：台座
２：容器
３：装飾部材
１０：容器収納凹部
１１：上面
３０：嵌合凹部
３１：下面
【図１】
0003183581.tif 000003
【図２】
0003183581.tif 000004
【図３】
0003183581.tif 000005
【図４】
0003183581.tif 000006
【図５】
0003183581.tif 000007